(57)【要約】【課題】  使い勝手がよく、また、収納量を確保できる住宅の収納構造を提供することを目的とする。【解決手段】住宅の収納構造１は、物品を収納する入室可能な収納室２を居室３及び廊下４に隣接して設けた構造であって、収納室２及び居室３は、人の出入りを可能とする第１出入口６ｂによって連通し、収納室２及び廊下４は、少なくとも物品の出し入れを可能とする第２出入口６ｂによって連通し、収納室２は、物品を保管するための家具２１が第２出入口６ｂの下端よりも高く、且つ、第２出入口６ｂの上端よりも低い高さで、第２出入口６ｂの開口部６０の収納室２側及び第２出入口６ｂを開口した壁体の収納室２側の壁面に近接して設置する。【選択図】図１
2019124035.tif 000002
【特許請求の範囲】
【請求項１】
物品を収納する入室可能な収納室を居室及び廊下に隣接して設けた住宅の収納構造であって、
前記収納室及び前記居室は、人の出入りを可能とする第１出入口によって連通し、
前記収納室及び前記廊下は、物品の出し入れを可能とする第２出入口によって連通し、
前記収納室は、物品を保管するための家具が前記第２出入口の下端よりも高く、且つ、前記第２出入口の上端よりも低い高さで、前記第２出入口の開口部の前記収納室側及び該第２出入口を開口した壁体の前記収納室側の壁面に近接して設置されることを特徴とする住宅の収納構造。
【請求項２】
前記収納室は、ウォークインクローゼットであり、
前記居室は、寝室であることを特徴とする請求項１に記載の住宅の収納構造。
【請求項３】
前記家具は、ハンガーを掛けるハンガーパイプであることを特徴とする請求項１又は請求項２に記載の住宅の収納構造。
【請求項４】
前記家具は、物品を載置する棚板であることを特徴とする請求項１又は請求項２に記載の住宅の収納構造。
【請求項５】
前記第２出入口は、その下端を前記廊下の床面よりも高い位置とすることを特徴とする請求項１から請求項４のいずれかに記載の住宅の収納構造。
【請求項６】
前記第２出入口は、引き戸が設けられていることを特徴とする請求項１から請求項５のいずれかに記載の住宅の収納構造。
【発明の詳細な説明】
【技術分野】
【０００１】
本発明は、居室及び廊下に隣接して物品を収納する収納室を設けた住宅の収納構造に関する。
【背景技術】
【０００２】
ウォークインクローゼットを住宅に設置する場合、図６（ａ）に示すように、ウォークインクローゼットＸ１は、着替えを行う寝室Ｙ１に隣接して設置し、両室間を行き来可能に連通するのが一般的である。しかしながら、寝室Ｙ１からのみウォークインイクローゼットＸ１を使用可能とすると、例えば、夜分遅くに帰宅した際に就寝中の居住者のいる寝室Ｙ１を通過してウォークインクローゼットＸ１を使用しなければならず、物音を立てないよう気をつけながら着替えを行わなければならない。そこで、廊下に隣接した納戸空間及び寝室の２部屋からクローゼットとして機能する収納空間を使用可能とした居室の収納構造が提案されている。（特許文献１）
【先行技術文献】
【特許文献】
【０００３】
【特許文献１】特開２０１３−１９１４３
【発明の概要】
【発明が解決しようとする課題】
【０００４】
しかしながら、特許文献１の発明は、収納空間を寝室に入室せずに使用できるものの、廊下から納戸空間に入らなければ収納空間を使用することができず、廊下から直接収納空間に収納された衣服や鞄などの出し入れを行うことができないため、例えば外出時や帰宅時に、上着や小物類の出し入れを手短に行うことができない。
【０００５】
また比較的住戸面積に余裕のある戸建住宅の場合、図６（ｂ）に示すように、ウォークインクローゼットＸ２に通じる出入口を寝室Ｙ２及び廊下Ｚに面してそれぞれ設け、２部屋からウォークインクローゼットＸ２に入室可能とすることがある。しかしながら、出入口を設けた開口部付近にはハンガーパイプや棚板などの家具Ｘａを設置できないため、寝室Ｙ２にのみウォークインクローゼットＸ２に入室するための出入口を設けた場合よりも物品の収納量が減少することになる。そのため、住戸面積に制約を受けやすい集合住宅や狭小な住宅の場合、十分な収納空間を確保することができない。
【０００６】
そこで、本発明は、上述した課題を鑑みてなされたものであって、物品を収納する入室可能な収納室を居室及び廊下に隣接して設けた住宅において、使い勝手がよく、また、収納量を確保できる住宅の収納構造を提供することを目的とする。
【課題を解決するための手段】
【０００７】
本発明の住宅の収納構造は、物品を収納する入室可能な収納室を居室及び廊下に隣接して設けた住宅の収納構造であって、前記収納室及び前記居室は、人の出入りを可能とする第１出入口によって連通し、前記収納室及び前記廊下は、少なくとも物品の出し入れを可能とする第２出入口によって連通し、前記収納室は、物品を保管するための家具が前記第２出入口の下端よりも高く、且つ、前記第２出入口の上端よりも低い高さで、前記第２出入口の開口部の前記収納室側及び該第２出入口を開口した壁体の前記収納室側の壁面に近接して設置されることを特徴としている。
【０００８】
本発明の住宅の収納構造は、前記収納室が、ウォークインクローゼットであり、前記居室は、寝室であることを特徴としている。
【０００９】
本発明の住宅の収納構造は、前記家具が、ハンガーを掛けるハンガーパイプであることを特徴としている。
【００１０】
本発明の住宅の収納構造は、前記家具が、物品を載置する棚板であることを特徴としている。
【００１１】
本発明の住宅の収納構造は、前記第２出入口が、その下端を前記廊下の床面よりも高い位置とすることを特徴としている。
【００１２】
本発明の住宅の収納構造は、前記第２出入口が、引き戸を設けられていることを特徴としている。
【発明の効果】
【００１３】
本発明の住宅の収納構造によると、収納室は、物品を保管するための家具が第２出入口の下端よりも高く、且つ、第２出入口の上端よりも低い高さで第２出入口の開口部の収納室側及び第２出入口を開口した壁体の収納室側の壁面に近接して設置されているので、廊下側から第２出入口を通じて目の前にあるハンガーパイプや棚板などの家具に物品を保管することができ、外出時や帰宅時に収納室内部に入室することなく手短に物品を収納することができる。また、居室に入室しづらい場合であっても廊下から第２出入口を通じて収納室に保管された物品を容易に出し入れすることが可能となる。さらに、第２出入口の開口部の収納室側に近接して家具を設けているので、収納量を減らすことがなく、狭小な住戸面積の住宅であっても効率良く物品の収納を行うことができる。
【００１４】
本発明の住宅の収納構造によると、収納室がウォークインクローゼットであるとともに居室が寝室であるので、例えば、夜分遅くに帰宅した場合であっても、就寝中の居住者のいる寝室に入室することなく廊下から第２出入口を通じて上着や小物類などをウォークインクローゼット内に収納することができる。また、外出時に寝室及びウォークインクローゼットへ入室することなく廊下から第２出入口を通じて手短に上着や鞄などを取り出して出掛けることができる。
【００１５】
本発明の住宅の収納構造によると、家具はハンガーパイプであるので、廊下側から第２出入口を通じて目の前にあるハンガーパイプに手短に衣服を掛けることができ、外出時や帰宅時に寝室やウォークインクローゼットに入室することなく容易に上着を出し入れすることができる。
【００１６】
本発明の住宅の収納構造によると、家具は棚板であるので、廊下側から第２出入口を通じて目の前にある棚板に物品を保管することができる。また、外出時や帰宅時に居室や収納室に入室することなく容易に収納室に保管された物品を出し入れすることができる。
【００１７】
第２出入口は、その下端を廊下の床面よりも高い位置としているので、廊下側から第２出入口を通じて廊下の床面を浮遊するホコリや塵の収納室への侵入を防止することができ、収納室を清潔な状態に保つことができる。
【００１８】
本発明の住宅の収納構造によると、第２出入口は引き戸が設けられているので、開き扉のように扉の開閉空間を確保する必要がなく、住戸面積に余裕の無い狭小な住宅であっても省スペース化を図りながら効率良く廊下側から収納室を使用することができる。
【図面の簡単な説明】
【００１９】
【図１】住宅の収納構造を示す水平断面図。
【図２】図１のＡ−Ａ断面図。
【図３】図１のＢ−Ｂ断面図。
【図４】収納室に棚板及び扉付き戸棚を設置した様子を示す断面図。
【図５】収納室を示す斜視図。
【図６】（ａ）１部屋からのみウォークインクローゼットに入室可能な住宅を示す断面図。
【図６】（ｂ）２部屋からウォークインクローゼットに入室可能な住宅を示す断面図。
【発明を実施するための形態】
【００２０】
以下、住宅の収納構造の最良の実施形態について各図を参照しつつ説明する。本願の住宅の収納構造１は、主に戸建て住宅よりも住戸面積の制約を受けやすい集合住宅や狭小な住宅に用いられる。
【００２１】
住宅の収納構造１は、図１に示すように、物品を収納する入室可能な収納室２を居室３及び廊下４に隣接して設けた構造である。まず、配置構成から説明する。平面視矩形に形成された収納室２は、第１壁体５１を隔てて居室３と区画され、また、第１壁体５１に直交する一方の壁体である第２壁体５２を隔てて廊下４と区画されており、さらに、第１壁体５１に直交する他方の壁体である第３壁体５３によって屋外と区画され、第１壁体５１に収納室２を挟んで対向する第４壁体５４によって他室と区画されている。
【００２２】
平面視矩形に形成された居室３は、第１壁体５１を隔てて収納室２とともに廊下４と区画され、また、第１壁体５１に居室３を挟んで対向する第５壁体５５及び第３壁体５３によって屋外と区画されており、さらに、第３壁体５３に居室３を挟んで対向する第６壁体５６によって他室と区画されている。そして、廊下４は、Ｌ形状の第７壁体５７によって他室と区画されている。
【００２３】
図１及び図５に示すように、収納室２及び居室３は、第１壁体５１に設けられた人の出入りを可能とする第１出入口６ａによって連通し、収納室２及び廊下４は、第２壁体５２に設けられた物品の出し入れを可能とする第２出入口６ｂによって連通している。また、居室３及び廊下４は、第１壁体５１に設けられた第３出入口６ｃによって行き来可能となっている。なお、図示例は配置構成の一例であり、収納室２から居室３及び収納室２から廊下４がそれぞれ連通していれば、その他の配置構成であってもよい。
【００２４】
図１に示すように、物品を収納するための収納室２は、衣服や小物類を収納する入室可能なウォークインクローゼットである。図３及び図５に示すように、収納室２内には、衣服を掛けたハンガーを吊り下げるハンガーパイプ２ａや鞄や小物類を載置する棚板２ｂなど、物品を保管するための家具２１が設置されている。
【００２５】
図１に示すように、平面視Ｃ形状に形成されたハンガーパイプ２ａは、両端を第１壁体５１に支持され、第１出入口６ａが設けられた第１壁体５１の部分を除いて室形状に沿うように設置されている。また、図２に示すように、ハンガーパイプ２ａは、廊下４の床面Ｆからその上端までの設置高さＨ１を第２出入口６ｂの下端よりも高く、また第２出入口６ｂの上端よりも低い高さとしており、好適には１６００ｍｍ〜１８００ｍｍ程度である。このような高さであれば男女共に使い勝手のよいハンガーパイプ２ａとすることができる。また、図３に示すように、ハンガーパイプ２ａは、第２出入口６ｂの開口部６０の収納室２側及び第２出入口６ｂを開口した第２壁体５２の収納室２側の壁面に近接して設置されており、第２壁体５２の収納室２に面する壁面からハンガーパイプ２ａの中心までの距離Ｗは、２５０ｍｍ〜３００ｍｍ程度で形成される。したがって、廊下４側から第２出入口６ｂを見ると、目の前にハンガーパイプ２ａが横切ることとなり、廊下４側から手を伸ばして上着などを掛けたハンガーをハンガーパイプ２ａに容易に吊るすことができる。すなわち、廊下４側からは、収納室２をクローゼットのように使用することができる。また、収納室２を区画する各壁体に固定される棚板２ｂは、その下面を第１出入口６ａ及び第２出入口６ｂの上端よりも上方となるように配置しており、上部に鞄や小物類などを載置することができる。
【００２６】
居室３は、居住者が就寝する寝室である。図１に示すように、収納室２及び居室３を繋ぐ第１出入口６ａには開き扉６１が設置されており、着替えを行う際は、居住者が居室３から第１出入口６ａを通って収納室２に収納されている必要な衣服を取り出し着替えを行う。したがって、居室３以外の部屋から収納室２に入室するためには、住宅内の各室同士を繋ぐ廊下４から第３出入口６ｃを通って居室３を通過し、第１出入口６ａから収納室２に入室しなければならない。なお、第１出入口６ａに設置する建具は、開き扉ではなく引き戸や他の種類の建具であってもよい。
【００２７】
図２に示すように、第２壁体５２に設けられた第２出入口６ｂは、その下端を廊下４の床面Ｆよりも高い位置としており、開口部６０には引き戸６２が設置されている。床面Ｆから第２出入口６ｂの下端までの高さＨ２は特に限定されないが、例えば３００ｍｍ〜５００ｍｍ程度とすることができる。このように第２出入口６ｂの下端を床面Ｆよりも上方に設置することにより、引き戸６２を開閉した際に、廊下４の床面Ｆに浮遊するほこりや塵が収納室２の内部へ浸入することを防止することができる。また、第２出入口６ｂに設置する建具を引き戸６２とすることによって、開き扉のように廊下４に開閉空間を確保する必要がなく、住戸面積に余裕の無い狭小な住宅であっても省スペース化を図りながら効率良く廊下４側から収納室２を使用することができる。なお、第２出入口６ｂは、必ずしもその下端を床面Ｆよりも上方に設置する必要はなく、第２出入口６ｂの下端を床面Ｆと同一のレベルとしてもよい。その場合は、ハンガーパイプ２ａに吊るされたハンガーを両側に避けることにより、第１出入口６ａだけでなく廊下４から第２出入口６ｂを通じて収納室２へ入室することができる。
【００２８】
次に、住宅の収納構造１の具体的な使い勝手について説明する。例えば、外出先から帰宅して上着を収納室２に収納する場合、廊下４を通って第２出入口６ｂの引き戸６２を開き、図３に示すように、目の前を横切るハンガーパイプ２ａに上着を吊るすことができる。したがって、夜分遅くに帰宅しても、就寝中の居住者がいる居室３を通過して収納室２に入室することなく収納室２に上着を収納することができる。また、外出する際も、廊下４から第２出入口を通じて収納室２に保管された上着を取り出すことができ、居室３及び収納室２に入室することなく手短に上着を取り出すことができる。
【００２９】
なお図３では、第２出入口６ｂの開口位置にハンガーパイプ２ａのみを設けているが、図４に示すように、棚板２ｂを第２出入口６ｂの下端よりも高く、また第２出入口６ｂの上端よりも低い位置に配置し、廊下４から第２出入口６ｂを通じて棚板２ｂに載置された鞄や小物類などを取り出してもよい。この場合、第２壁体５２の収納室２に面する壁面から棚板２ｂの第２出入口６ｂ側の端面までの距離は、１０ｍｍ〜３０ｍｍ程度とすることができる。このように、第２出入口６ｂの開口位置に設置される家具２１は、廊下４から第２出入口６ｂを通じて手の届く範囲に設置される。また、第２出入口６ｂの上端よりも上方の空間や、第２出入口６ｂの下端よりも下方の空間には、収納室２内で使用できる扉付きの戸棚２ｃを設けてもよい。
【００３０】
また、ここでは収納室２をウォークインクローゼットとし、居室３を寝室としているが、その他の部屋としてもよい。例えば、収納室２をパントリーとし、居室３をキッチンとすれば、帰宅後、購入した食料品や調味料などの物品を廊下４から第２出入口６ｂを通じて収納室２内に設置した棚板２ｂなどの家具２１に保管することができる。したがって、居室３に入室することなく手短に物品を収納室２に収納することができるので、家事の時間短縮を図ることが可能となる。
【００３１】
このように構成された住宅の収納構造１は、収納室の収納量を減らすことなく使い勝手のよい収納構造とすることができる。
【００３２】
また、本発明の実施の形態は上述の形態に限ることなく、本発明の思想の範囲を逸脱しない範囲で適宜変更することができる。
【産業上の利用可能性】
【００３３】
本発明に係る建物は、住戸面積に制約を受けやすい集合住宅や狭小な住宅において好適に使用することができる。
【符号の説明】
【００３４】
１      住宅の収納構造
２      収納室（ウォークインクローゼット）
２１    家具
２ａ    ハンガーパイプ
２ｂ    棚板
３      居室（寝室）
４      廊下
５２    第二壁体（壁体）
６ａ    第１出入口
６ｂ    第２出入口
６０    開口部
６２    引き戸
【図１】
2019124035.tif 000003
【図２】
2019124035.tif 000004
【図３】
2019124035.tif 000005
【図４】
2019124035.tif 000006
【図５】
2019124035.tif 000007
【図６】
2019124035.tif 000008